【手続補正書】
【提出日】平成25年8月26日(2013.8.26)
【手続補正１】
【補正対象書類名】明細書
【補正対象項目名】００１２
【補正方法】変更
【補正の内容】
【００１２】
本発明の第１の側面は、商品またはサービスの提供者に係る第１の端末機器と、前記商品またはサービスの評価者に係る第２の端末機器との間で第１の通信の通信が行われたとき、前記第１の通信を利用して送受信された情報を、前記第１の端末機器から受信する通知受信手段と、前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上を特定する区分特定手段と、前記特定結果に基づいて、前記第１の端末機器と前記第２の端末機器との間で行われる第２の通信の状態を確認するリンク認証の方式を特定し、特定された方式で前記リンク認証に係る処理を実行するリンク認証手段と、前記リンク認証された前記第２の通信を介して送受信される前記商品または前記サービスに対する評価情報を、前記第１の端末機器から受信する評価情報受信手段とを備える情報処理装置である。
【手続補正２】
【補正対象書類名】明細書
【補正対象項目名】００１３
【補正方法】変更
【補正の内容】
【００１３】
前記端末機器の識別番号と、複数の前記端末機器のセキュリティ区分とを対応付けた端末機器情報データベースをさらに備え、前記区分特定手段は、前記端末機器情報データベースを検索することで、前記セキュリティ区分を特定するようにすることができる。
【手続補正３】
【補正対象書類名】明細書
【補正対象項目名】００１５
【補正方法】変更
【補正の内容】
【００１５】
前記リンク認証手段は、前記特定結果に応じて、前記第２の端末機器に前記第３の通信を利用して送信した情報が、前記第２の通信を利用して前記第１の端末機器に送信されたか否かを表す情報を前記第１の端末機器から前記第３の通信を利用して受信することで、前記第２の端末機器の同一性を確認する評価者同一性確認処理と、前記第１の端末機器に前記第３の通信を利用して送信した情報が、前記第２の通信を利用して前記第２の端末機器に送信されたか否かを表す情報を前記第２の端末機器から前記第３の通信を利用して受信することで、前記第１の端末機器の同一性を確認する提供者同一性確認処理とを、それぞれ定期的に実行するようにすることができる。
【手続補正４】
【補正対象書類名】明細書
【補正対象項目名】００１８
【補正方法】変更
【補正の内容】
【００１８】
本発明の第１の側面は、通知受信手段が、商品またはサービスの提供者に係る第１の端末機器と、前記商品またはサービスの評価者に係る第２の端末機器との間で第１の通信の通信が行われたとき、前記第１の通信を利用して送受信された情報を、前記第１の端末機器から受信し、区分特定手段が、前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上を特定し、リンク認証手段が、前記特定結果に基づいて、前記第１の端末機器と前記第２の端末機器との間で行われる第２の通信の状態を確認するリンク認証の方式を特定し、特定された方式で前記リンク認証に係る処理を実行し、評価情報受信手段が、前記リンク認証された前記第２の通信を介して送受信される前記商品または前記サービスに対する評価情報を、前記第１の端末機器から受信するステップを含む情報処理方法である。
【手続補正５】
【補正対象書類名】明細書
【補正対象項目名】００１９
【補正方法】変更
【補正の内容】
【００１９】
本発明の第１の側面は、コンピュータを、商品またはサービスの提供者に係る第１の端末機器と、前記商品またはサービスの評価者に係る第２の端末機器との間で第１の通信の通信が行われたとき、前記第１の通信を利用して送受信された情報を、前記第１の端末機器から受信する通知受信手段と、前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上を特定する区分特定手段と、前記特定結果に基づいて、前記第１の端末機器と前記第２の端末機器との間で行われる第２の通信の状態を確認するリンク認証の方式を特定し、特定された方式で前記リンク認証に係る処理を実行するリンク認証手段と、前記リンク認証された前記第２の通信を介して送受信される前記商品または前記サービスに対する評価情報を、前記第１の端末機器から受信する評価情報受信手段とを備える情報処理装置として機能させるプログラムである。
【手続補正６】
【補正対象書類名】明細書
【補正対象項目名】００２０
【補正方法】変更
【補正の内容】
【００２０】
本発明の第１の側面においては、商品またはサービスの提供者に係る第１の端末機器と、前記商品またはサービスの評価者に係る第２の端末機器との間で第１の通信の通信が行われたとき、前記第１の通信を利用して送受信された情報が、前記第１の端末機器から受信され、前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上が特定され、前記特定結果に基づいて、前記第１の端末機器と前記第２の端末機器との間で行われる第２の通信の状態を確認するリンク認証の方式が特定され、特定された方式で前記リンク認証に係る処理が実行され、前記リンク認証された前記第２の通信を介して送受信される前記商品または前記サービスに対する評価情報が、前記第１の端末機器から受信される。
【手続補正７】
【補正対象書類名】明細書
【補正対象項目名】００２１
【補正方法】変更
【補正の内容】
【００２１】
本発明の第２の側面は、自分が提供する商品またはサービスの評価者に係る端末機器との第１の通信により前記端末機器の識別情報および第２の通信のアドレスを含む情報を受信する機器情報受信手段と、前記第１の通信により受信した前記端末機器の識別情報とともに、自分の識別情報を含む情報をサーバに、第３の通信を利用して送信する機器情報送信手段と、前記サーバから前記第３の通信を利用して、予め定められた第１の確認要求を受信した場合、前記第１の確認要求を第２の通信を利用して前記端末機器に送信する第１確認要求送信手段と、前記第２の通信を利用して受信した確認応答であって、前記端末機器が第１の確認要求に対応して送信した第１の確認応答を、前記第３の通信を利用して前記サーバに送信する第１確認応答送信手段と、前記端末機器から前記第２の通信を利用して受信した評価情報であって、自分が提供した前記商品またはサービスに対する評価情報を、前記第３の通信を利用して前記サーバに送信する評価情報送信手段とを備える情報処理装置である。
【手続補正８】
【補正対象書類名】明細書
【補正対象項目名】００７６
【補正方法】変更
【補正の内容】
【００７６】
図４のＣＰＵ２０１、ＲＯＭ２０２、ＲＡＭ２０３、バス２０４、入出力インタフェース２１０、入力部２１１、出力部２１２、記憶部２１３、ドライブ２１５、およびリムーバブルメディア２１６は、それぞれ、図３のＣＰＵ１１１、ＲＯＭ１１２、ＲＡＭ１１３、バス１１４、入出力インタフェース１２０、入力部１２１、出力部１２２、記憶部１２３、ドライブ１２５、およびリムーバブルメディア１２６に対応する。
【手続補正９】
【補正対象書類名】明細書
【補正対象項目名】０１５２
【補正方法】変更
【補正の内容】
【０１５２】
ステップＳ１４３において、３Ｇ１３１−２は、ステップＳ１４２で受信した一時キーをＢＴ１３２−２に通知し、ステップＳ１２４でこれが取得される。
【手続補正１０】
【補正対象書類名】明細書
【補正対象項目名】０２５６
【補正方法】変更
【補正の内容】
【０２５６】
図１４は、ハンドオーバメッセージのフォーマットを説明する図である。ハンドオーバメッセージは、例えば、携帯端末や情報収集端末が非接触通信（ＮＦＣ通信）を行うときに送受信される情報とされる。ハンドオーバメッセージのフォーマットについては、ＮＦＣ  Ｆｏｒｕｍによる標準化が行われており、図示されるフォーマットがＮＦＣ  Ｆｏｒｕｍの規格によって規定されている。
【手続補正１１】
【補正対象書類名】明細書
【補正対象項目名】０３５９
【補正方法】変更
【補正の内容】
【０３５９】
このようにして、リンク認証確認処理が実行される。
【手続補正１２】
【補正対象書類名】特許請求の範囲
【補正対象項目名】全文
【補正方法】変更
【補正の内容】
【特許請求の範囲】
【請求項１】
商品またはサービスの提供者に係る第１の端末機器と、前記商品またはサービスの評価者に係る第２の端末機器との間で第１の通信の通信が行われたとき、前記第１の通信を利用して送受信された情報を、前記第１の端末機器から受信する通知受信手段と、
前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上を特定する区分特定手段と、
前記特定結果に基づいて、前記第１の端末機器と前記第２の端末機器との間で行われる第２の通信の状態を確認するリンク認証の方式を特定し、特定された方式で前記リンク認証に係る処理を実行するリンク認証手段と、
前記リンク認証された前記第２の通信を介して送受信される前記商品または前記サービスに対する評価情報を、前記第１の端末機器から受信する評価情報受信手段と
を備える情報処理装置。
【請求項２】
前記端末機器の識別番号と、複数の前記端末機器のセキュリティ区分とを対応付けた端末機器情報データベースをさらに備え、
前記区分特定手段は、前記端末機器情報データベースを検索することで、前記セキュリティ区分を特定する
請求項１に記載の情報処理装置。
【請求項３】
前記リンク認証手段は、
前記特定結果に基づいて、前記第１の端末機器と前記第２の端末機器との間で行われる第２の通信が継続して行われていることを確認するリンク認証の方式を特定するとともに、その方式で前記リンク認証に係る処理を実行し、
前記評価情報受信手段は、
前記第１の端末機器により前記第２の通信を利用して行われる前記第２の端末機器に係る前記評価者への前記商品または前記サービスに対する評価情報であって、前記第２の端末機器から前記第１の端末機器へ前記第２の通信を利用して送信される評価情報を、第３の通信を利用して前記第１の端末機器から受信する
請求項１に記載の情報処理装置。
【請求項４】
前記リンク認証手段は、前記特定結果に応じて、
前記第２の端末機器に前記第３の通信を利用して送信した情報が、前記第２の通信を利用して前記第１の端末機器に送信されたか否かを表す情報を前記第１の端末機器から前記第３の通信を利用して受信することで、前記第２の端末機器の同一性を確認する評価者同一性確認処理と、
前記第１の端末機器に前記第３の通信を利用して送信した情報が、前記第２の通信を利用して前記第２の端末機器に送信されたか否かを表す情報を前記第２の端末機器から前記第３の通信を利用して受信することで、前記第１の端末機器の同一性を確認する提供者同一性確認処理とを、
それぞれ定期的に実行する
請求項３に記載の情報処理装置。
【請求項５】
前記リンク認証手段は、
前記信頼性区分に基づいて、前記提供者同一性確認処理を実行するか否かを決定することで、前記リンク認証の方式を特定する
請求項４に記載の情報処理装置。
【請求項６】
前記リンク認証手段は、
前記セキュリティ区分に基づいて、前記評価者同一性確認処理または前記提供者同一性確認処理において、前記第１の端末機器または前記第２の端末機器が予め記憶している固有鍵を用いるか、または、前記第１の端末機器または前記第２の端末機器が予め記憶していない一時キーを用いるかを決定することで、前記リンク認証の方式を特定する
請求項４に記載の情報処理装置。
【請求項７】
通知受信手段が、商品またはサービスの提供者に係る第１の端末機器と、前記商品またはサービスの評価者に係る第２の端末機器との間で第１の通信の通信が行われたとき、前記第１の通信を利用して送受信された情報を、前記第１の端末機器から受信し、
区分特定手段が、前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上を特定し、
リンク認証手段が、前記特定結果に基づいて、前記第１の端末機器と前記第２の端末機器との間で行われる第２の通信の状態を確認するリンク認証の方式を特定し、特定された方式で前記リンク認証に係る処理を実行し、
評価情報受信手段が、前記リンク認証された前記第２の通信を介して送受信される前記商品または前記サービスに対する評価情報を、前記第１の端末機器から受信するステップ
を含む情報処理方法。
【請求項８】
コンピュータを、
商品またはサービスの提供者に係る第１の端末機器と、前記商品またはサービスの評価者に係る第２の端末機器との間で第１の通信の通信が行われたとき、前記第１の通信を利用して送受信された情報を、前記第１の端末機器から受信する通知受信手段と、
前記第１の通信により送受信された情報に含まれる前記第１の端末機器の識別情報および前記第２の端末機器の識別情報に基づいて、前記商品またはサービスの提供者の信頼性を表す信頼性区分と、前記第１の端末機器のセキュリティ区分および前記第２の端末機器のセキュリティ区分との少なくとも１以上を特定する区分特定手段と、
前記特定結果に基づいて、前記第１の端末機器と前記第２の端末機器との間で行われる第２の通信の状態を確認するリンク認証の方式を特定し、特定された方式で前記リンク認証に係る処理を実行するリンク認証手段と、
前記リンク認証された前記第２の通信を介して送受信される前記商品または前記サービスに対する評価情報を、前記第１の端末機器から受信する評価情報受信手段と
を備える情報処理装置として機能させる
プログラム。
【請求項９】
自分が提供する商品またはサービスの評価者に係る端末機器との第１の通信により前記端末機器の識別情報および第２の通信のアドレスを含む情報を受信する機器情報受信手段と、
前記第１の通信により受信した前記端末機器の識別情報とともに、自分の識別情報を含む情報をサーバに、第３の通信を利用して送信する機器情報送信手段と、
前記サーバから前記第３の通信を利用して、予め定められた第１の確認要求を受信した場合、前記第１の確認要求を第２の通信を利用して前記端末機器に送信する第１確認要求送信手段と、
前記第２の通信を利用して受信した確認応答であって、前記端末機器が第１の確認要求に対応して送信した第１の確認応答を、前記第３の通信を利用して前記サーバに送信する第１確認応答送信手段と、
前記端末機器から前記第２の通信を利用して受信した評価情報であって、自分が提供した前記商品またはサービスに対する評価情報を、前記第３の通信を利用して前記サーバに送信する評価情報送信手段と
を備える情報処理装置。
【請求項１０】
前記第２の通信を利用して予め定められた第２の確認要求を受信した場合、予め定められた処理により生成された情報である第２の確認応答を、前記第２の通信を利用して前記端末機器に送信する第２確認応答送信手段をさらに備える
請求項９に記載の情報処理装置。
【請求項１１】
前記第２の確認応答には、前記第２の確認要求に含まれる暗号化された情報を予め記憶している固有鍵で復号して得られた情報が含まれる
請求項１０に記載の情報処理装置。
【請求項１２】
前記サーバから前記第３の通信を利用して一時キーを受信して記憶する一時キー記憶手段をさらに備え、
前記第２の確認応答には、前記一時キーが含まれる
請求項１０に記載の情報処理装置。
【請求項１３】
コンピュータを、
自分が提供する商品またはサービスの評価者に係る端末機器との第１の通信により前記端末機器の識別情報および第２の通信のアドレスを含む情報を受信する機器情報受信手段
と、
前記第１の通信により受信した前記端末機器の識別情報とともに、自分の識別情報を含む情報をサーバに、第３の通信を利用して送信する機器情報送信手段と、
前記サーバから前記第３の通信を利用して、予め定められた第１の確認要求を受信した場合、前記第１の確認要求を第２の通信を利用して前記端末機器に送信する第１確認要求送信手段と、
前記第２の通信を利用して受信した確認応答であって、前記端末機器が第１の確認要求に対応して送信した第１の確認応答を、前記第３の通信を利用して前記サーバに送信する第１確認応答送信手段と、
前記端末機器から前記第２の通信を利用して受信した評価情報であって、自分が提供した前記商品またはサービスに対する評価情報を、前記第３の通信を利用して前記サーバに送信する評価情報送信手段とを備える情報処理装置として機能させる
プログラム。
【請求項１４】
商品またはサービスの提供者に係る端末機器との第１の通信により自分の識別情報および第２の通信のアドレスを含む情報を送信する機器情報送信手段と、
前記サーバから前記第３の通信を利用して、予め定められた第１の確認要求を受信した場合、前記第１の確認要求を第２の通信を利用して前記端末機器に送信する第１確認要求送信手段と、
前記第２の通信を利用して受信した確認応答であって、前記端末機器が第１の確認要求に対応して送信した第１の確認応答を、前記第３の通信を利用して前記サーバに送信する第１確認応答送信手段と、
前記端末機器から前記第２の通信を利用して受信した前記商品またはサービスに係る情報に対する評価情報を、前記第２の通信を利用して前記端末機器に送信する評価情報送信手段と
を備える情報処理装置。
【請求項１５】
前記第２の通信を利用して予め定められた第２の確認要求を受信した場合、予め定められた処理により生成された情報である第２の確認応答を、前記第２の通信を利用して前記端末機器に送信する第２確認応答送信手段をさらに備える
請求項１４に記載の情報処理装置。
【請求項１６】
前記第２の確認応答には、前記第２の確認要求に含まれる暗号化された情報を予め記憶している固有鍵で復号して得られた情報が含まれる
請求項１５に記載の情報処理装置。
【請求項１７】
前記サーバから前記第３の通信を利用して一時キーを受信して記憶する一時キー記憶手段をさらに備え、
前記第２の確認応答には、前記一時キーが含まれる
請求項１５に記載の情報処理装置。
【請求項１８】
コンピュータを、
商品またはサービスの提供者に係る端末機器との第１の通信により自分の識別情報および第２の通信のアドレスを含む情報を送信する機器情報送信手段と、
前記サーバから前記第３の通信を利用して、予め定められた第１の確認要求を受信した場合、前記第１の確認要求を第２の通信を利用して前記端末機器に送信する第１確認要求送信手段と、
前記第２の通信を利用して受信した確認応答であって、前記端末機器が第１の確認要求に対応して送信した第１の確認応答を、前記第３の通信を利用して前記サーバに送信する第１確認応答送信手段と、
前記端末機器から前記第２の通信を利用して受信した前記商品またはサービスに係る情報に対する評価情報を、前記第２の通信を利用して前記端末機器に送信する評価情報送信手段とを備える情報処理装置として機能させるプログラム。
【手続補正１３】
【補正対象書類名】図面
【補正対象項目名】図１１
【補正方法】変更
【補正の内容】
【図１１】
2012058823.tif 000001